(57)【特許請求の範囲】
【請求項１】
装置本体内に電線ケーブルを収納する一方、該装置本体に蓋体を着脱自在に取り付けたケーブルアダプター装置において、
上記装置本体を筒状に形成すると共にその所定位置に窓部を形成し、
この筒状の装置本体内にカール状にした上記電線ケーブルを出し入れ自在に収納したことを特徴とするケーブルアダプター装置。
【請求項２】
請求項１記載のケーブルアダプター装置において、
上記装置本体と上記蓋体のいずれか一方にクリップを取り付ける一方、
上記蓋体に上記電線ケーブルの一端側のケーブルコネクタが接続される雄雌変換コネクタを取り付けたことを特徴とするケーブルアダプター装置。
【請求項３】
請求項２記載のケーブルアダプター装置において、
上記蓋体を、上記雄雌変換コネクタを有すると共に、上記装置本体に着脱自在に取り付けられた中間キャップと、この中間キャップに着脱自在に取り付けられると共に、上記クリップを取り付けたヘッドキャップとで構成し、
このヘッドキャップ内にカール状にした他の電線ケーブルを出し入れ自在に収納したことを特徴とするケーブルアダプター装置。
【発明の詳細な説明】
【０００１】
【発明の属する技術分野】
この発明は、例えば筒状のペンタイプのケースにカール状の電線ケーブルを収めた携帯性の良い新規なケーブルアダプター装置に関するものである。
【０００２】
【従来の技術】
例えば、電子手帳やモデム（変復調装置）を有するパーソナルコンピュータ、携帯ファクシミリ等の携帯情報端末（ＰＤＡ：Ｐｅｒｓｏｎａｌ  Ｄｉｇｉｔａｌ  Ａｓｓｉｓｔａｎｔｓ）が知られている。この携帯情報端末を、屋外等で使用する場合には、ＩＳＤＮ公衆電話回線等の通信回線に携帯用の電線ケーブルを介して携帯情報端末を接続することにより、情報の収集や検索或は発信等のコミュニケーションを行うことができるようになっている。
【０００３】
【発明が解決しようとする課題】
しかしながら、上記携帯情報端末を屋外等で使用する場合には、電線ケーブルを常に携帯しなければならないため、電線ケーブルの持ち運び等が不便であり、非常に使い勝手が悪かった。尚、携帯用の電線ケーブルを巻き取って収納することも考えられるが、当該巻き取り式では通信終了後に巻き取る必要があり、その作業が煩雑であった。
【０００４】
そこで、この発明は、電線ケーブルの収納性が良くて携帯性に優れ、しかも使い勝手が良いケーブルアダプター装置を提供するものである。
【０００５】
【課題を解決するための手段】
装置本体内に電線ケーブルを収納する一方、該装置本体に蓋体を着脱自在に取り付けたケーブルアダプター装置において、上記装置本体を筒状に形成すると共にその所定位置に窓部を形成し、この筒状の装置本体内にカール状にした上記電線ケーブルを出し入れ自在に収納してある。
【０００６】
筒状の装置本体内にカール状になって電線ケーブルが収納されているので、携帯性が非常に良い。また、筒状の装置本体の窓部よりカール状になって収納された電線ケーブルが見られ、携帯端末装置と通信回線等を接続する場合等に電線ケーブルが引き出し易く、接続も簡単であって使い勝手が非常に良い。
【０００７】
【発明の実施の形態】
以下、この発明の具体的な実施の形態例について図面を参照して説明する。
【０００８】
図１〜図３及び図６〜図８は、この発明の一実施形態例のケーブルアダプター装置１を示すものであり、例えばＩＳＤＮ公衆電話回線（通信回線）と電子手帳（携帯情報端末）５０を接続したり、或は公衆電話回線とモデム（変復調装置）を有するパーソナルコンピュータ（携帯情報端末）６０とを接続する場合等に用いられるペン型のものである。
【０００９】
図１〜図３に示すように、ケーブルアダプター装置１は、内部にカール状に積層の長尺の電線ケーブル２を出し入れ自在に収納した筒状の装置本体１０と、この装置本体１０の基端側の開口部１１に着脱自在に取り付けられた筒状の蓋体２０で構成されている。この蓋体２０は、雄雌変換コネクタ３０を有すると共に、上記装置本体１０の基端側の開口部１１に着脱自在に取り付けられた中間キャップ２１と、この中間キャップ２１の基部（後部）側に着脱自在に取り付けられ、内部にカール状に積層の短尺の電線ケーブル（他の電線ケーブル）６を出し入れ自在に収納すると共に、外部の長手方向にクリップ２５を取り付けたヘッドキャップ２２とで構成されている。
【００１０】
図２，図３に示すように、装置本体１０内に収納される長尺の電線ケーブル２は、２本の銅線等の導電部材（図示省略）を並列に並べて絶縁処理してあると共にカール状に積層されて伸縮自在になっている。また、電線ケーブル２の両端部にはモジュラープラグ（ケーブルコネクタ）３，４を取り付けてある。この一方のモジュラープラグ３の弾性ロック片部３ａの両側に形成された一対の爪部（係止部）３ｂ，３ｂは、装置本体１０の先端側の開口部１２の内面上側に形成された一対の突起部（係合部）１２ａ，１２ａに係脱自在になっている。このモジュラープラグ３の弾性ロック片部３ａは弾性変形の中途の状態で前後にテーパ面を有した上記一対の突起部１２ａ，１２ａに係脱自在になっており、装置本体１０の先端側の開口部１２の両側の一対の切欠部１２ｂ，１２ｂよりモジュラープラグ３の両側面をつかんで引っ張ることにより、容易に引き出すことができるようになっている。また、他方のモジュラープラグ４は、取付片５を介して装置本体１０の基端側の開口部１１に所定手段を介して固着されて該開口部１１より外側に突出している。この外側に突出したモジュラープラグ４は弾性ロック片部４ａの一対の爪部（係止部）４ｂ，４ｂを介して後述する雄雌変換コネクタ３０の一方の雌型のモジュラージャックケース３１に着脱自在になっている。そして、カール状の電線ケーブル２をモジュラープラグ３をつかんで装置本体１０の先端側の開口部１２より引き出して伸ばすと、その全長が例えば０．５ｍ〜１ｍの長尺になるようになっている。
【００１１】
また、図２，図３に示すように、ヘッドキャップ２２内に収納される短尺の電線ケーブル６は、２本の銅線等の導電部材（図示省略）を並列に並べて絶縁処理してあると共にカール状に積層されて伸縮自在になっている。また、電線ケーブル６の両端部にはモジュラープラグ（ケーブルコネクタ）７，８を取り付けてある。この一方のモジュラープラグ７の弾性ロック片部７ａの両側に形成された一対の爪部（係止部）７ｂ，７ｂは、ヘッドキャップ２２の先端側の開口部２３の内面下側に形成された一対の突起部（係合部）２３ａ，２３ａに係脱自在になっている。このモジュラープラグ７の弾性ロック片部７ａは弾性変形の中途の状態で前後にテーパ面を有した上記一対の突起部２３ａ，２３ａに係脱自在になっており、ヘッドキャップ２２の先端側の開口部２３の両側の一対の切欠部２３ｂ，２３ｂよりモジュラープラグ７の両側面をつかんで引っ張ることにより、容易に引き出すことができるようになっている。また、他方のモジュラープラグ８は、取付片９を介してヘッドキャップ２２の基端側の開口部２４に所定手段を介して固着されて該開口部２４より外側に突出している。この外側に突出したモジュラープラグ８は弾性ロック片部８ａの一対の爪部（係止部）８ｂ，８ｂを介して後述する雄雌変換コネクタ３０の他方の雌型のモジュラージャックケース３２に着脱自在になっている。そして、カール状の電線ケーブル６をモジュラープラグ７をつかんでヘッドキャップ２２の先端側の開口部２３より引き出して伸ばすと、その全長が例えば０．１ｍ〜０．２ｍの長さになるようになっている。
【００１２】
図２に示すように、装置本体１０は合成樹脂により丸みのある略四角筒状に形成してあり、先端の一対の切欠部１２ｂ，１２ｂ側の両側壁の略中央部に窓部１３，１３をそれぞれ穿設してある。この各窓部１３，１３により内部に収納されたカール状の電線ケーブル２が見えるようになっている。また、装置本体１０の先端側の開口部１２の内面上側に電線ケーブル２の一方のモジュラープラグ３の弾性ロック片部３ａの一対の爪部３ｂ，３ｂが係脱される一対の突起部１２ａ，１２ａを一体突出形成してある。さらに、装置本体１０の基端側の開口部１１内には、蓋体２０の中間キャップ２１の前側外周面２１ａが抜き差し自在になっている。
【００１３】
図２に示すように、蓋体２０の中間キャップ２１は合成樹脂により丸みのある略四角筒状に形成してあり、前側外周面２１ａと後側外周面２１ｂの境部分（中央部分）に装置本体１０の外周面と同一面を成す突出部２１ｃを一体突出形成してある。この突出部２１ｃのクリップ２５の先端側には、位置決め用の円弧部２１ｄを一体突出形成してある。また、この丸みのある略四角筒状の中間キャップ２１内には、装置本体１０側の電線ケーブル２の他方のモジュラープラグ４とヘッドキャップ２２側の電線ケーブル６の他方のモジュラープラグ８とが抜き差しされる雄雌変換コネクタ３０を嵌め込んである。
【００１４】
図２と図３及び図５に示すように、雄雌変換コネクタ３０は、装置本体１０側の電線ケーブル２の他方の雄型のモジュラープラグ４が抜き差しされる開口部３１ａを正面側に有した雌型のモジュラージャックケース（絶縁体）３１と、このモジュラージャックケース３１の背面に当接してヘッドキャップ２２側の電線ケーブル６の他方の雄型のモジュラープラグ８が抜き差しされる開口部３２ａを正面側に有したモジュラージャックケース（絶縁体）３２と、これらモジュラージャックケース３１，３２を両端部３３ａ，３３ｂの折り曲げにより一体化する２本（または４本）のコンタクト（端子）３３，３３とにより構成され、これら各モジュラージャックケース３１，３２の上下面に形成された凹部（係合部）３１ｂ，３１ｂ及び３２ｂ，３２ｂに中間キャップ２１の内面に一体突出した各爪部（係止部）２１ｅ，２１ｅを係止させて各モジュラージャックケース３１，３２を中間キャップ２１で覆うことによって組み立てられるようになっている。
【００１５】
また、各モジュラージャックケース３１の開口部３１ａ，３２ａの各コンタクト３３，３３の両端部３３ａ，３３ｂと対向する内面両側には、後部がテーパ面状になっている各一対の突起部（係合部）３１ｃ，３１ｃ及び３２ｃ，３２ｃをそれぞれ一体形成してある。この各一対の突起部３１ｃ，３１ｃ及び３２ｃ，３２ｃに、前記各モジュラープラグ４，８の各弾性ロック片部４ａ，８ａの各一対の爪部４ｂ，４ｂ及び８ｂ，８ｂは、該各弾性ロック片部４ａ，８ｂが弾性変形の中途の状態で係脱自在になっており、中間キャップ２１及びヘッドキャップ２２を取り外した時に、上記各両者の係止状態が簡単に解除されるようになっている。
【００１６】
図２，図３に示すように、蓋体２０のヘッドキャップ２２は合成樹脂により丸みのある略四角筒状に形成してあり、その内部にカール状の電線ケーブル６が収納されるようになっている。また、ヘッドキャップ２２の先端側の開口部２３の内面下側には、電線ケーブル６の一方のモジュラープラグ７の弾性ロック片部７ａの一対の爪部７ｂ，７ｂが係脱される一対の突起部２３ａ，２３ａを一体突出形成してある。さらに、ヘッドキャップ２２の基端側の開口部２４内に、蓋体２０の中間キャップ２１の後側外周面２１ｂが抜き差し自在になっている。この嵌め込み時に、ヘッドキャップ２２の基端側の開口部２４より外側に突出した他方のモジュラープラグ８が中間キャップ２１の雄雌変換コネクタ３０の一方のモジュラージャックケース３２の開口部３２ａに嵌め込まれるようになっている。さらに、ヘッドキャップ２２の基端側の開口部２４のクリップ２５の先端側には、中間キャップ２１の位置決め用の円弧部２１ｄが嵌め込まれる凹部２４ｄを形成してある。
【００１７】
なお、図６〜図８に示すように、装置本体１０に収納された電線ケーブル２の一方の雄型のモジュラープラグ３は、例えば、公衆電話回線（通信回線）の雌型のモジュラーコンセント４０や電子手帳５０等の携帯情報端末の雌型のモジュラーコンセント５１にそれぞれ抜き差し自在になっている。また、図６に示すように、ヘッドキャップ２２に収納された電線ケーブル６の一方の雄型のモジュラープラグ７は、例えば、公衆電話回線の雌型のモジュラーコンセント４０に抜き差し自在になっている。さらに、図８，図９に示すように、蓋体２０の中間キャップ２１よりヘッドキャップ２２を抜き取ることにより露出した雄雌変換コネクタ３０の雌型のモジュラージャックケース３２（ヘッドキャップ２２に収納された電線ケーブル６の他方の雄型のモジュラープラグ８が抜き差しされるモジュラーコンセント）３２に、モデムを有するパーソナルコンピュータ６０等の携帯情報端末の雄型のモジュラープラグ６１が差し込み自在になっている。図９に示すように、パーソナルコンピュータ６０のモジュラープラグ６１の弾性ロック片部６１ａの一対の爪部６１ｂ，６１ｂは該弾性ロック片部６１ａが弾性変形の中途の状態で後部にテーパ面を有した上記モジュラージャックケース３２の一対の突起部３２ｃ，３２ｃに係脱自在になっており、モジュラープラグ６１を取り付けた電線ケーブル６２を強い力で引っ張るとモジュラープラグ６１がモジュラージャックケース３２から簡単に外れて断線等しないようになっている。
【００１８】
以上構成の実施形態例のケーブルアダプター装置１は、例えば、公衆電話回線と電子手帳５０等とを接続したり、また、公衆電話回線とパーソナルコンピュータ６０等とを接続する場合に使用される。即ち、図６に示すように、公衆電話回線と電子手帳５０等の携帯情報端末をケーブルアダプター装置１により接続する場合には、その装置本体１０内のカール状の電線ケーブル２を雄型のモジュラープラグ３を介して引き出して、該モジュラープラグ３を電子手帳５０の雌型のモジュラーコンセント５１に差し込んで接続すると共に、蓋体２０のヘッドキャップ２４内のカール状の電線ケーブル６を雄型のモジュラープラグ７を介して引き出して、該モジュラープラグ７を公衆電話回線の雌型のモジュラーコンセント４０に差し込んで接続する。このような簡単な操作で公衆電話回線と電子手帳５０とを接続することにより、情報の収集や検索或は発信等のコミュニケーションを簡単に行うことができる。
【００１９】
また、図７に示すように、小型携帯情報端末である電子手帳５０の本体側（例えばキャリングケース等）にクリップ２５を用いてケーブルアダプター装置１を取り付けたり収納した時には、この状態で持ち運べることは勿論のこと、電子手帳５０と公衆電話回線等を接続する際にも、上記と同様にクリップ２５によりケーブルアダプター装置１を電子手帳５０側に固定したままの状態で使用する（モジュラープラグ３を公衆電話回線の雌型のモジュラーコンセント４０に差し込んで接続すると共に、モジュラープラグ７を電子手帳５０の雌型のモジュラーコンセント５１に差し込んで接続する）ことができ、使い勝手の向上がより一層図られる。
【００２０】
さらに、図８に示すように、公衆電話回線とパーソナルコンピュータ６０等をケーブルアダプター装置１により接続する場合には、ケーブルアダプター装置１の装置本体１０内のカール状の電線ケーブル２を雄型のモジュラープラグ３を介して引き出して、該モジュラープラグ３を公衆電話回線の雌型のモジュラーコンセント４０に差し込んで接続すると共に、蓋体２０のヘッドキャップ２４を取り外して中間キャップ２１内の雌雄変換アダプター３０の雌型のモジュラージャックケース３２に、パーソナルコンピュータ６０の電線ケーブル６２の雄型のモジュラープラグ６１を差し込んで接続する。この接続状態において、図９に示すように、パーソナルコンピュータ６０のモジュラープラグ６１の弾性ロック片部６１ａが弾性変形の中途の状態でその一対の爪部６１ｂ，６１ｂを後部にテーパ面を有した上記モジュラージャックケース３２の一対の突起部３２ｃ，３２ｃに係止しているので、モジュラープラグ６１を取り付けた電線ケーブル６２を誤って強く引っ張っても、モジュラープラグ６１がモジュラージャックケース３２から簡単に外れたり、電線ケーブル６２が破損したり、或は、モジュラープラグ６１が電線ケーブル６１から外れたりすることがない。
【００２１】
このように、長短の電線ケーブル２，６を収納したケーブルアダプター装置１を用いて、公衆電話回線と電子手帳５０或はパーソナルコンピュータ６０等を極めて簡単な操作により接続して使用することができる。また、電線ケーブル２，６等を使用しない場合は、装置本体１０及びヘッドキャップ２２に各電線ケーブル２，６を収納すれば、図７に示すように、電子手帳５０等の小型携帯情報端末と共にペンのように一緒に気軽に持ち歩いたり、さらに、ヘッドキャップ２２のクリップ２５を所定位置に引っ掛けたりして持ち運び等することができ、携帯性が非常に良い。さらにまた、カール状の電線ケーブル２，６は比較的長く伸びる割りには収縮し易いので、収納時に装置本体１０やヘッドキャップ２２内に簡単かつコンパクトに収納することができ、通信終了後に巻きとったりする必要がなく、非常に使い勝手が良い。
【００２２】
また、装置本体１０やヘッドキャップ２２は中空になっているので、装置全体の軽量化を図ることができる。さらに、パーソナルコンピュータ６０のモジュラープラグ６１が接続される雄雌変換コネクタ３０は、一対のモジュラージャックケース３１，３２を背中合わせの構造にして、コンタクト（端子）３３の両端部３３ａ，３３ｂの折り曲げで一体化して蓋体２０の中間キャップ２１内に収納するようにしたので、製造が簡単となり、小型・軽量化を図ることができる。さらにまた、雄雌変換コネクタ３０はプリント基板やリード線等が不要であり、半田付けやカシメ等も不要であり、しかも雄雌変換コネクタ３０の外筒を中間キャップ２１で兼用しているので、部品点数を大幅に削減して軽量化及び低コスト化をより一段と図ることができる。
【００２３】
尚、前記実施形態例によれば、装置本体１０内の電線ケーブル２の一方の雄型のモジュラープラグ４は装置本体１０側に固定したが、図１０に示すように、装置本体１０の基端側の開口部１１より抜き差し自在にして公衆電話回線の雌型のモジュラーコンセント４０に直接差し込んで接続できるようにしてもよい。この場合に、装置本体１０内から電線ケーブル２が完全に抜け出てしまわないように該電線ケーブル２の中途を装置本体１０内により突出した係止部１４で係止する。また、蓋体の中間キャップ２２に内蔵される雄雌変換コネクタ３０は連続したコンタクト３３の折り曲げにより一対のモジュラージャックケース３１，３２を一体化したが、図１１（ａ），（ｂ）に示すように、一対のモジュラージャックケース３１，３２の背面側にＴ字状の係止部３４ａと、該係止部３４に抜き差しされる凹状の係合部３５とを設けて一体化し、左右に分離した例えば各一対で２組のコンタクト３３′，３３′を用いて、その各端部３３ｃ，３３ｃ同士を連結するようにしてもよい。
【００２４】
また、ケーブルアダプター装置は携帯情報端末や屋外の公衆電話回線間を接続する場合だけではなく、屋内の電話回線と電話機及び大型の端末装置等を接続する場合に用いることができることは勿論である。さらに、クリップをヘッドキャップ側に取り付けたが、中間キャップ或は装置本体側に取り付けるようにしてもよい。
【００２５】
【発明の効果】
以上のように、この発明によれば、装置本体内に電線ケーブルを収納する一方、該装置本体に蓋体を着脱自在に取り付けたケーブルアダプター装置において、上記装置本体を筒状に形成すると共にその所定位置に窓部を形成し、この筒状の装置本体内にカール状にした上記電線ケーブルを出し入れ自在に収納したことにより、上記電線ケーブルを収納した状態で持ち運び等ができるので、携帯性をより一層向上させることができる。また、筒状の装置本体の窓部よりカール状になって収納された電線ケーブルを見ることができ、端末装置と通信回線等を接続する場合等においても上記電線ケーブルを容易に引き出して簡単に接続することができ、使い勝手が非常に良い。
【図面の簡単な説明】
【図１】この発明の一実施形態例のケーブルアダプター装置の斜視図。
【図２】上記ケーブルアダプター装置の分解斜視図。
【図３】上記ケーブルアダプター装置の断面図。
【図４】（ａ）は上記ケーブルアダプター装置の一部を断面で示す正面図、（ｂ）は同一部を断面で示す背面図。
【図５】（ａ）〜（ｄ）は上記ケーブルアダプター装置に用いられる雄雌変換コネクタの組み立て順序を示す説明図。
【図６】上記ケーブルアダプター装置の第１の使用状況を示す説明図。
【図７】上記ケーブルアダプター装置の第１の使用状況の変形例を示す説明図。
【図８】上記ケーブルアダプター装置の第２の使用状況を示す説明図。
【図９】上記第２の使用状況における要部の拡大説明図。
【図１０】他の態様のケーブルアダプター装置の使用状況を示す説明図。
【図１１】（ａ）は上記ケーブルアダプター装置に用いられる雄雌変換コネクタの他の態様を示す断面図、（ｂ）は同他の態様の雄雌変換コネクタの連結状態を示す説明図。
【符号の説明】
１…ケーブルアダプター装置、２…電線ケーブル、４…モジュラープラグ（ケーブルコネクタ）、６…短尺の電線ケーブル（他の電線ケーブル）、１０…装置本体、１３…窓部、２０…蓋体、２１…中間キャップ、２２…ヘッドキャップ、２５…クリップ、３０，３０′…雄雌変換コネクタ。
【図１】
0003620158.tif 000002
【図２】
0003620158.tif 000003
【図３】
0003620158.tif 000004
【図４】
0003620158.tif 000005
【図５】
0003620158.tif 000006
【図６】
0003620158.tif 000007
【図７】
0003620158.tif 000008
【図８】
0003620158.tif 000009
【図９】
0003620158.tif 000010
【図１０】
0003620158.tif 000011
【図１１】
0003620158.tif 000012